(57)【要約】【課題】容器１０内の薬液の汚染を防止する。【解決手段】容器１０と、容器１０の口部１２に装着する中栓２０と、中栓２０の保持部２３に保持する塗布体３０とを設け、塗布体３０は、保持部２３に収納して抜止めする膨出部３１と、保持部２３の上方に突出する塗布部３２とを一体に形成する。【選択図】図１
2014201332.tif 000002
【特許請求の範囲】
【請求項１】
容器と、該容器の口部に装着する中栓と、該中栓の上部の保持部に保持する塗布体とを備えてなり、前記中栓は、前記容器内に連通する連通孔を前記保持部の底面に形成し、前記塗布体は、前記保持部に水平回転可能、上下移動可能に収納して抜止めする膨出部と、前記保持部の上方に突出する塗布部とを一体に形成することを特徴とする塗布容器。
【請求項２】
前記塗布体は、軸対称の前記膨出部の外面と、軸対称の前記保持部の内面との間に隙間を形成することを特徴とする請求項１記載の塗布容器。
【請求項３】
前記中栓は、前記保持部の底面にリング状のシールリブを形成し、該シールリブは、前記連通孔を内側に含み、前記塗布体の下面に対応することを特徴とする請求項１または請求項２記載の塗布容器。
【請求項４】
前記容器には、前記中栓、塗布体を覆う着脱可能なキャップを付設し、該キャップは、閉状態において、前記中栓上の前記塗布体をセンタリングして下向きに押圧することを特徴とする請求項３記載の塗布容器。
【請求項５】
前記中栓は、上向きのガイド筒を前記保持部の底面の中心部に形成し、前記塗布体は、前記ガイド筒内に垂下する下向きのガイドロッドを形成することを特徴とする請求項１ないし請求項４のいずれか記載の塗布容器。
【請求項６】
前記中栓は、上向きのガイドロッドを前記保持部の底面の中心部に立設し、前記塗布体は、前記ガイドロッドを挿入する下向きのガイド筒を形成することを特徴とする請求項１ないし請求項４のいずれか記載の塗布容器。
【発明の詳細な説明】
【技術分野】
【０００１】
この発明は、たとえば水虫薬、湿疹薬、養毛剤などの薬液を皮膚に塗布して施用するための塗布容器に関する。
【背景技術】
【０００２】
塗布容器は、スポンジ状の塗布体を用いる形式の他、塗布ボールを用いる形式が知られている（たとえば特許文献１）。
【０００３】
塗布ボールを用いる塗布容器は、容器の口部に装着する中栓と、中栓の保持筒を介して保持する塗布ボールとを備えている。塗布ボールの下側の一部は、中栓に形成する連通孔を介して容器の内部に露出しており、塗布ボールの上側の一部は、保持筒の上方に突出している。塗布ボールは、保持筒内において、自在に回転可能であり、しかも上下に僅かに相対移動可能である。そこで、容器を倒立させ、塗布ボールを皮膚に押し付けて移動させると、塗布ボールが上下方向に回転して容器内の薬液を皮膚に連続的に塗布することができる。なお、塗布ボールは、スポンジ状の塗布体のような多孔性でないから、有害な目詰りを生じるおそれがない。
【先行技術文献】
【特許文献】
【０００４】
【特許文献１】特開２００５−１８６９９７号公報
【発明の概要】
【発明が解決しようとする課題】
【０００５】
かかる従来技術によるときは、塗布ボールは、皮膚に接触した表面が上下方向の回転により容器内の薬液に直接接することになるため、容器内の薬液が汚染されてしまうおそれがあるという問題があった。
【０００６】
そこで、この発明の目的は、かかる従来技術の問題に鑑み、上下方向に回転することがない塗布体を採用することによって、塗布ボールの利点を喪失することなく、容器内の薬液を汚染するおそれがない塗布容器を提供することにある。
【課題を解決するための手段】
【０００７】
かかる目的を達成するためのこの発明の構成は、容器と、容器の口部に装着する中栓と、中栓の上部の保持部に保持する塗布体とを備えてなり、中栓は、容器内に連通する連通孔を保持部の底面に形成し、塗布体は、保持部に水平回転可能、上下移動可能に収納して抜止めする膨出部と、保持部の上方に突出する塗布部とを一体に形成することをその要旨とする。
【０００８】
なお、塗布体は、軸対称の膨出部の外面と、軸対称の保持部の内面との間に隙間を形成することができる。
【０００９】
また、中栓は、保持部の底面にリング状のシールリブを形成し、シールリブは、連通孔を内側に含み、塗布体の下面に対応してもよく、容器には、中栓、塗布体を覆う着脱可能なキャップを付設し、キャップは、閉状態において、中栓上の塗布体をセンタリングして下向きに押圧してもよい。
【００１０】
さらに、中栓は、上向きのガイド筒を保持部の底面の中心部に形成し、塗布体は、ガイド筒内に垂下する下向きのガイドロッドを形成してもよく、中栓は、上向きのガイドロッドを保持部の底面の中心部に立設し、塗布体は、ガイドロッドを挿入する下向きのガイド筒を形成してもよい。
【発明の効果】
【００１１】
かかる発明の構成によるときは、塗布体は、中栓の保持部に膨出部を水平回転可能かつ上下移動可能に収納して保持され、保持部の上方に塗布部を突出させている。また、保持部の底面には、容器内に連通する連通孔が形成されている。そこで、容器を倒立させると、容器内の薬液が保持部内の膨出部の内外に流出し、その後、塗布部を皮膚に押し付けてそのまま全体を移動させると、膨出部が上昇して傾くことにより薬液が塗布部に沿って流下し、塗布部を介して薬液を皮膚に連続的に塗布することができる。なお、このようにして薬液を塗布するとき、塗布体は、水平回転することがあっても上下方向に回転することがなく、したがって、容器内の薬液を汚染したり、毛髪などの体毛を巻き込んだりするおそれがない。また、塗布体は、スポンジ状の多孔性とする必要がないため、目詰りを生じるおそれもない。
【００１２】
塗布体は、軸対称の膨出部の外面と、軸対称の保持部の内面との間に隙間を形成することにより、膨出部を保持部に水平回転可能かつ上下移動可能に収納して保持することができる。なお、膨出部と一体の塗布部は、たとえばドーム状、棒状などの他、任意の形態に形成可能である。
【００１３】
中栓の保持部の底面に形成するリング状のシールリブは、連通孔を内側に含み、塗布体の下面に対応することにより、容器の正立状態において、塗布体を介して容器の内外を区分して分離し、連通孔を通して容器の外部に流出した薬液が容器内に戻ることを阻止して容器内の薬液の汚染のおそれを一層少なくすることができる。また、容器に付設するキャップは、閉状態において、中栓上の塗布体をセンタリングして下向きに押圧することにより、塗布体とシールリブとを介して容器を確実に密封することができる。
【００１４】
中栓側の上向きのガイド筒は、塗布体を中栓と一体に組み立てる際に、塗布体側のガイドロッドを挿入することにより、中栓と塗布体との相対位置を適切に規制し、両者の組立工程を容易にすることができる。ただし、中栓側に上向きのガイドロッドを形成し、塗布体側に下向きのガイド筒を形成しても、同等に作用させることができる。
【図面の簡単な説明】
【００１５】
【図１】全体構成分解斜視図
【図２】全体構成縦断面図
【図３】中栓の構成説明図
【図４】塗布体の組立説明図
【図５】動作説明図（１）
【図６】動作説明図（２）
【図７】他の実施の形態を示す要部構成説明図
【発明を実施するための形態】
【００１６】
以下、図面を以って発明の実施の形態を説明する。
【００１７】
塗布容器は、容器１０、中栓２０、塗布体３０を備えてなる（図１、図２）。なお、容器１０には、ねじ式のキャップ４０が付設されている。
【００１８】
容器１０は、有底円筒状の胴部１１の上端に上向きの口部１２を形成して構成されている。口部１２の外周には、キャップ４０の着脱用の雄ねじ１３が形成されており、口部１２の上端外周には、リング状の係合突条１４が形成されている。なお、胴部１１の全体形状は、円筒状以外の任意の形態であってもよい。
【００１９】
中栓２０は、下向きのスカート部２１、係合部２２と、上向きの保持部２３、ガイド筒２４とを一体に軸対称に形成して構成されている。スカート部２１は、外周下半部を滑らかに縮径して容器１０の口部１２に圧入可能である。また、スカート部２１より短い大径の係合部２２の下端内周には、容器１０側の係合突条１４に対応する内向きのリング状の係合突条２２ａが形成されている。中栓２０は、スカート部２１を容器１０の口部１２に圧入し、係合突条２２ａ、１４を係合させて抜止めすることができる。
【００２０】
上向きの保持部２３は、中間部が外側に滑らかに膨出するとともに、上端部の内径が下端部の内径より僅かに小径になるように径方向に滑らかに絞られている。また、上向きのガイド筒２４は、保持部２３の底面の中心部において、保持部２３の底面を形成する基板２５の下方にまで延長され、全体として有底円筒状に仕上げられている。ガイド筒２４の上端は、保持部２３の上端より低く、内周上端部は、テーパ状に開拡されている。また、ガイド筒２４の内部の全体形状は、下向きに僅かにテーパ状に縮径するコップ状である。
【００２１】
保持部２３の底面には、円弧状に湾曲する長孔状の連通孔２６、２６…がガイド筒２４の外側に円形に等配して配列されている（図２、図３）。各連通孔２６は、基板２５を上下に貫通しており、中栓２０を容器１０の口部１２に装着すると、容器１０の内部に連通する。ただし、図３（Ａ）〜（Ｄ）は、それぞれ中栓２０の半断面正面図、上面図、下面図、同図（Ａ）の要部拡大図である。
【００２２】
保持部２３の底面には、リング状のシールリブ２７が形成されている。シールリブ２７は、断面山形に形成され、連通孔２６、２６…を内側に含むようにして、ガイド筒２４と同心円状に配列されている。
【００２３】
塗布体３０は、軸対称の膨出部３１の上方にドーム状の塗布部３２を一体に形成し（図１、図２）、塗布部３２の頂部下面の中央部からガイドロッド３３を軸方向に垂設して構成されている。膨出部３１の外形は、中栓２０の保持部２３の内面の形状に対し、ほぼ相似形にして僅かに小さく形成されている。また、膨出部３１、塗布部３２の内部は、ガイドロッド３３用の下端開放の空洞部３４となっている。ガイドロッド３３は、下向きに僅かにテーパ状に縮径されている。
【００２４】
塗布体３０は、膨出部３１、保持部２３の双方を弾性変形させながら膨出部３１を保持部２３に強制的に押し込むことにより、膨出部３１を保持部２３に収納して抜止めすることができる（図２、図４の二点鎖線）。なお、このとき、塗布部３２は、保持部２３の上方に突出する。また、膨出部３１を保持部２３に収納するに際し、塗布体３０のガイドロッド３３は、中栓２０のガイド筒２４に挿入され、中栓２０に対して塗布体３０を正しく位置決めしてガイドすることができる。ただし、中栓２０は、たとえばポリエチレンのような適切な弾性のプラスチック材料により一体成形されており、塗布体３０は、たとえばポリプロピレンのようなプラスチック材料の他、熱伝導性の金属材料、複合材料などにより一体成形されている。
【００２５】
また、このようにして塗布体３０を中栓２０に組み合わせると、軸対称の膨出部３１の外面と、軸対称の保持部２３の内面との間にほぼ一様な隙間Ｇが形成され、膨出部３１は、保持部２３内において、水平回転可能かつ上下移動可能である。なお、膨出部３１の環状の下面は、保持部２３の底面のシールリブ２７上に着地し、したがって、シールリブ２７は、塗布体３０の下面に対応している。また、ガイドロッド３３は、ほぼ全長がガイド筒２４内に垂下し、保持部２３の底面から突出するガイド筒２４の上半部は、膨出部３１、塗布部３２内の空洞部３４に収納される。
【００２６】
キャップ４０は、容器１０に装着することにより、中栓２０、塗布体３０を覆うことができる（図１、図２）。
【００２７】
キャップ４０は、下半部のスカート部４１の上方をドーム状の頂部４２によって閉じている。下向きに僅かに開拡するスカート部４１の外面には、下端のリング状の突条４１ｂの上方に縦方向の滑り止め４１ａ、４１ａ…が形成されており、各滑り止め４１ａは、内側に僅かに湾曲する浅い樋状に形成されている。スカート部４１の内面には、容器１０側の雄ねじ１３に適合する雌ねじ４３が形成されている。また、頂部４２の内面には、中間の水平の段部４２ａの上下に、それぞれ塗布体３０の塗布部３２、中栓２０の保持部２３の外面に斜めに摺接する斜面部４２ｂ、４２ｃが形成されている。ただし、段部４２ａは、キャップ４０の装着工程の終了時点において、中栓２０の保持部２３の上端面の直近上方に位置し、斜面部４２ｂ、４２ｃは、塗布部３２、保持部２３の外面を押圧してキャップ４０のねじ込み限界を規定するものとする。
【００２８】
そこで、キャップ４０は、雄ねじ１３、雌ねじ４３を介して容器１０の口部１２に装着すると、斜面部４２ｂを介して塗布体３０をセンタリングして下向きに押圧し、中栓２０のシールリブ２７を介して連通孔２６、２６…の外側をシールし、容器１０の口部１２を封止することができる。なお、キャップ４０、容器１０は、それぞれたとえばポリプロピレンなどのプラスチック材料により一体成形されている。
【００２９】
かかる塗布容器の作動は、次のとおりである。
【００３０】
全体を正立状態にして、容器１０からキャップ４０を取り外すと、中栓２０上の塗布体３０は、自重によりシールリブ２７上に正しく着地し、シールリブ２７を介して容器１０の封止状態を維持することができる。
【００３１】
そこで、全体を皮膚Ｆから離して倒立させると（図５（Ａ））、塗布体３０は、自重により中栓２０の保持部２３内で下降し、保持部２３内の隙間Ｇの下端を塞ぐ。このとき、連通孔２６、２６…を介して容器１０内の薬液が保持部２３内の膨出部３１の内外に流下するが、保持部２３の外部に垂れることがない。
【００３２】
つづいて、塗布体３０の塗布部３２を皮膚Ｆに押し付け（図５（Ｂ））、皮膚Ｆに沿って全体を移動させると（同図の矢印方向）、保持部２３内の膨出部３１が上昇して傾くことにより保持部２３内の隙間Ｇの下端が開き、塗布部３２の外面に沿って薬液が流下する。そこで、塗布部３２を介して薬液を皮膚Ｆに塗布することができる。
【００３３】
また、全体を倒立させたまま皮膚Ｆに押し付けると（図６の矢印方向）、塗布体３０が上昇し、中栓２０のシールリブ２７を介して連通孔２６、２６…を封止するため、容器１０からの薬液が皮膚Ｆ上に過大に流出することがない。
【他の実施の形態】
【００３４】
塗布体３０は、ガイドロッド３３を省略するとともに、空洞部３４に代えて下向きのガイド筒３５を形成し（図７（Ａ）、（Ｂ））、中栓２０は、ガイド筒３５に挿入する上向きのガイドロッド２８を保持部２３の底面の中心部に立設することができる。なお、ガイド筒３５、ガイドロッド２８の頂部は、それぞれドーム状に形成してもよく（図７（Ａ））、水平の平面状に形成してもよい（同図（Ｂ））。
【００３５】
また、塗布体３０の塗布部３２は、ドーム状とするに代えて、単一の長い棒状としてもよく（図７（Ｂ））、膨出部３１の平板状の上面に立設する短い棒状の複数本の集合体としてもよい（同図（Ｃ））。図７（Ｂ）の塗布部３２は、たとえば足指の間などの狭少な部位に薬液を塗布する用途に好適であり、同図（Ｃ）の塗布部３２、３２…は、皮膚Ｆに押し付けて薬液を塗布する際に、一種のマッサージ効果や指圧効果を実現することができる。
【産業上の利用可能性】
【００３６】
この発明は、水虫薬、湿疹薬、養毛剤などの皮膚に塗布して施用する薬液の塗布用として好適に適用することができる。
【符号の説明】
【００３７】
Ｇ…隙間
１０…容器
１２…口部
２０…中栓
２３…保持部
２４…ガイド筒
２６…連通孔
２７…シールリブ
２８…ガイドロッド
３０…塗布体
３１…膨出部
３２…塗布部
３３…ガイドロッド
３５…ガイド筒
４０…キャップ
特許出願人      伸晃化学株式会社
【図１】
2014201332.tif 000003
【図２】
2014201332.tif 000004
【図３】
2014201332.tif 000005
【図４】
2014201332.tif 000006
【図５】
2014201332.tif 000007
【図６】
2014201332.tif 000008
【図７】
2014201332.tif 000009